【手続補正書】
【提出日】平成22年8月26日(2010.8.26)
【手続補正１】
【補正対象書類名】特許請求の範囲
【補正対象項目名】全文
【補正方法】変更
【補正の内容】
【特許請求の範囲】
【請求項１】
入力される音響信号の時間周波数スペクトログラムに基づいて、当該音響信号の特徴量を抽出する音響信号特徴抽出装置における音響信号特徴抽出方法であって、
前記時間周波数スペクトログラムの時間間隔ごとに、前記時間周波数スペクトログラムの所定の基準特徴部を抽出し、
抽出した前記所定の基準特徴部の周波数を前記時間間隔ごとの基準周波数とし、
対数軸上で予め定められた間隔の複数の周波数を、当該基準周波数を基準として抽出し、抽出した各周波数のパワースペクトル値に基づいて前記時間間隔ごとの音響信号の特徴量を抽出する
ことを特徴とする音響信号特徴抽出方法。
【請求項２】
前記所定の基準特徴部とは、パワースペクトル値が各時間間隔において最大値となる部分であることを特徴とする請求項１に記載の音響信号特徴抽出方法。
【請求項３】
前記所定の基準特徴部とは、時間軸で連続する幾つかの時間周波数スペクトログラムの中で、パワースペクトル値が最大値となる部分
であることを特徴とする請求項１に記載の音響信号特徴抽出方法。
【請求項４】
前記所定の基準特徴部とは、時間軸で連続する幾つかの時間周波数スペクトログラムのパワースペクトル値の重心となる部分
であることを特徴とする請求項１に記載の音響信号特徴抽出方法。
【請求項５】
参照音響信号に基づいて、当該参照音響信号に類似する音を含む区間を、入力される検索対象音響信号から検索する音響信号検索装置における音響信号検索方法であって、
前記参照音響信号及び前記検索対象音響信号それぞれの時間周波数スペクトログラムから、前記時間周波数スペクトログラムの時間間隔ごとの所定の基準特徴部を抽出し、
前記参照音響信号の時間周波数スペクトログラムから抽出した前記所定の基準特徴部の周波数を前記時間間隔ごとの前記参照音響信号の基準周波数とし、
前記検索対象音響信号の時間周波数スペクトログラムから抽出した前記所定の基準特徴部の周波数を前記時間間隔ごとの前記検索対象音響信号の基準周波数とし、
対数軸上で予め定められた間隔の複数の周波数を、前記参照音響信号の基準周波数を基準として抽出し、抽出した各周波数のパワースペクトル値に基づいて前記参照音響信号の前記時間間隔ごとの音響信号の特徴量を抽出し、抽出した特徴量に基づいて前記参照音響信号の信号全体の時間長を一区間とする参照特徴量を算出し、
対数軸上で予め定められた間隔の複数の周波数を、前記検索対象音響信号の基準周波数を基準として抽出し、抽出した各周波数のパワースペクトル値に基づいて前記検索対象音響信号の前記時間間隔ごとの特徴量を抽出し、
抽出した前記検索対象音響信号の前記特徴量に基づいて前記区間ごとの区間特徴量を算出し、
算出した区間特徴量と、前記参照特徴量とに基づいて類似度を算出し、
算出した類似度に基づいて、前記参照音響信号の音に類似する前記検索対象音響信号の区間を検索し、検索により検出した前記参照音響信号の音に類似する前記検索対象音響信号の区間を出力する
ことを特徴とする音響信号検索方法。
【請求項６】
入力される音響信号の時間周波数スペクトログラムに基づいて、当該音響信号の特徴量を抽出する音響信号特徴抽出装置であって、
前記時間周波数スペクトログラムの時間間隔ごとに、前記時間周波数スペクトログラムの所定の基準特徴部を抽出し、抽出した前記所定の基準特徴部の周波数を前記時間間隔ごとの基準周波数とする基準周波数検出手段と、
対数軸上で予め定められた間隔の複数の周波数を、当該基準周波数を基準として抽出し、抽出した各周波数のパワースペクトル値に基づいて前記時間間隔ごとの音響信号の特徴量を抽出する特徴量抽出手段と、
を備えたことを特徴とする音響信号特徴抽出装置。
【請求項７】
参照音響信号に基づいて、当該参照音響信号に類似する音を含む区間を、入力される検索対象音響信号から検索する音響信号検索装置であって、
前記参照音響信号及び前記検索対象音響信号それぞれの時間周波数スペクトログラムから、前記時間周波数スペクトログラムの時間間隔ごとの所定の基準特徴部を抽出し、前記参照音響信号の時間周波数スペクトログラムから抽出した前記所定の基準特徴部の周波数を前記時間間隔ごとの前記参照音響信号の基準周波数とし、前記検索対象音響信号の時間周波数スペクトログラムから抽出した前記所定の基準特徴部の周波数を前記時間間隔ごとの前記検索対象音響信号の基準周波数とする基準周波数検出手段と、
対数軸上で予め定められた間隔の複数の周波数を、前記参照音響信号の基準周波数を基準として抽出し、抽出した各周波数のパワースペクトル値に基づいて前記参照音響信号の前記時間間隔ごとの特徴量を抽出し、抽出した特徴量に基づいて前記参照音響信号の信号全体の時間長を一区間とする参照特徴量を算出し、対数軸上で予め定められた間隔の複数の周波数を、前記検索対象音響信号の基準周波数を基準として抽出し、抽出した各周波数のパワースペクトル値に基づいて前記検索対象音響信号の前記時間間隔ごとの特徴量を抽出する特徴抽出手段と、
前記特徴抽出手段が抽出した前記検索対象音響信号の前記特徴量に基づいて前記区間ごとの区間特徴量を算出し、算出した区間特徴量と、前記参照特徴量とに基づいて類似度を算出し、算出した類似度に基づいて、前記参照音響信号の音に類似する前記検索対象音響信号の区間を検索し、検索により検出した前記参照音響信号の音に類似する前記検索対象音響信号の区間を出力する類似度計算手段と、
を備えたことを特徴とする音響信号検索装置。
【請求項８】
入力される音響信号の時間周波数スペクトログラムに基づいて、当該音響信号の特徴量を抽出する音響信号特徴抽出装置のコンピュータに、
前記時間周波数スペクトログラムの時間間隔ごとに、前記時間周波数スペクトログラムの所定の基準特徴部を抽出するステップと、
抽出した前記所定の基準特徴部の周波数を前記時間間隔ごとの基準周波数とするステップと、
対数軸上で予め定められた間隔の複数の周波数を、当該基準周波数を基準として抽出し、抽出した各周波数のパワースペクトル値に基づいて前記時間間隔ごとの音響信号の特徴量を抽出するステップと、
を実行させるための音響信号特徴抽出プログラム。
【請求項９】
参照音響信号に基づいて、当該参照音響信号に類似する音を含む区間を、入力される検索対象音響信号から検索する音響信号検索装置のコンピュータに、
参照音響信号及び検索対象音響信号の時間周波数スペクトログラムを入力するステップと、
前記参照音響信号及び前記検索対象音響信号それぞれの時間周波数スペクトログラムから、前記時間周波数スペクトログラムの時間間隔ごとの所定の基準特徴部を抽出するステップと、
前記参照音響信号の時間周波数スペクトログラムから抽出した前記所定の基準特徴部の周波数を前記時間間隔ごとの前記参照音響信号の基準周波数とし、前記検索対象音響信号の時間周波数スペクトログラムから抽出した前記所定の基準特徴部の周波数を前記時間間隔ごとの前記検索対象音響信号の基準周波数とするステップと、
対数軸上で予め定められた間隔の複数の周波数を、前記参照音響信号の基準周波数を基準として抽出し、抽出した各周波数のパワースペクトル値に基づいて前記参照音響信号の前記時間間隔ごとの特徴量を抽出し、抽出した特徴量に基づいて前記参照音響信号の信号全体の時間長を一区間とする参照特徴量を算出するステップと、
対数軸上で予め定められた間隔の複数の周波数を、前記検索対象音響信号の基準周波数を基準として抽出し、抽出した各周波数のパワースペクトル値に基づいて前記検索対象音響信号の前記時間間隔ごとの特徴量を抽出するステップと、
抽出した前記検索対象音響信号の前記特徴量に基づいて前記区間ごとの区間特徴量を算出するステップと、
前記類似度計算手段が、算出した区間特徴量と、前記参照特徴量とに基づいて類似度を算出するステップと、
算出した類似度に基づいて、前記参照音響信号の音に類似する前記検索対象音響信号の区間を検索し、検索により検出した前記参照音響信号の音に類似する前記検索対象音響信号の区間を出力するステップと、
を実行させるための音響信号検索プログラム。
【請求項１０】
請求項８に記載の音響信号特徴抽出プログラムを記録したコンピュータ読み取り可能な記録媒体。
【請求項１１】
請求項９に記載の音響信号検索プログラムを記録したコンピュータ読み取り可能な記録媒体。
【手続補正２】
【補正対象書類名】明細書
【補正対象項目名】００１０
【補正方法】変更
【補正の内容】
【００１０】
上記問題を解決するために、本発明は、入力される音響信号の時間周波数スペクトログラムに基づいて、当該音響信号の特徴量を抽出する音響信号特徴抽出装置における音響信号特徴抽出方法であって、前記時間周波数スペクトログラムの時間間隔ごとに、前記時間周波数スペクトログラムの所定の基準特徴部を抽出し、抽出した前記所定の基準特徴部の周波数を前記時間間隔ごとの基準周波数とし、対数軸上で予め定められた間隔の複数の周波数を、当該基準周波数を基準として抽出し、抽出した各周波数のパワースペクトル値に基づいて前記時間間隔ごとの音響信号の特徴量を抽出することを特徴とする音響信号特徴抽出方法である。
【手続補正３】
【補正対象書類名】明細書
【補正対象項目名】００１４
【補正方法】変更
【補正の内容】
【００１４】
本発明は、参照音響信号に基づいて、当該参照音響信号に類似する音を含む区間を、入力される検索対象音響信号から検索する音響信号検索装置における音響信号検索方法であって、前記参照音響信号及び前記検索対象音響信号それぞれの時間周波数スペクトログラムから、前記時間周波数スペクトログラムの時間間隔ごとの所定の基準特徴部を抽出し、前記参照音響信号の時間周波数スペクトログラムから抽出した前記所定の基準特徴部の周波数を前記時間間隔ごとの前記参照音響信号の基準周波数とし、前記検索対象音響信号の時間周波数スペクトログラムから抽出した前記所定の基準特徴部の周波数を前記時間間隔ごとの前記検索対象音響信号の基準周波数とし、対数軸上で予め定められた間隔の複数の周波数を、前記参照音響信号の基準周波数を基準として抽出し、抽出した各周波数のパワースペクトル値に基づいて前記参照音響信号の前記時間間隔ごとの音響信号の特徴量を抽出し、抽出した特徴量に基づいて前記参照音響信号の信号全体の時間長を一区間とする参照特徴量を算出し、対数軸上で予め定められた間隔の複数の周波数を、前記検索対象音響信号の基準周波数を基準として抽出し、抽出した各周波数のパワースペクトル値に基づいて前記検索対象音響信号の前記時間間隔ごとの特徴量を抽出し、抽出した前記検索対象音響信号の前記特徴量に基づいて前記区間ごとの区間特徴量を算出し、算出した区間特徴量と、前記参照特徴量とに基づいて類似度を算出し、算出した類似度に基づいて、前記参照音響信号の音に類似する前記検索対象音響信号の区間を検索し、検索により検出した前記参照音響信号の音に類似する前記検索対象音響信号の区間を出力することを特徴とする音響信号検索方法である。
【手続補正４】
【補正対象書類名】明細書
【補正対象項目名】００１５
【補正方法】変更
【補正の内容】
【００１５】
本発明は、入力される音響信号の時間周波数スペクトログラムに基づいて、当該音響信号の特徴量を抽出する音響信号特徴抽出装置であって、前記時間周波数スペクトログラムの時間間隔ごとに、前記時間周波数スペクトログラムの所定の基準特徴部を抽出し、抽出した前記所定の基準特徴部の周波数を前記時間間隔ごとの基準周波数とする基準周波数検出手段と、対数軸上で予め定められた間隔の複数の周波数を、当該基準周波数を基準として抽出し、抽出した各周波数のパワースペクトル値に基づいて前記時間間隔ごとの音響信号の特徴量を抽出する特徴量抽出手段と、を備えたことを特徴とする音響信号特徴抽出装置である。
【手続補正５】
【補正対象書類名】明細書
【補正対象項目名】００１６
【補正方法】変更
【補正の内容】
【００１６】
本発明は、参照音響信号に基づいて、当該参照音響信号に類似する音を含む区間を、入力される検索対象音響信号から検索する音響信号検索装置であって、前記参照音響信号及び前記検索対象音響信号それぞれの時間周波数スペクトログラムから、前記時間周波数スペクトログラムの時間間隔ごとの所定の基準特徴部を抽出し、前記参照音響信号の時間周波数スペクトログラムから抽出した前記所定の基準特徴部の周波数を前記時間間隔ごとの前記参照音響信号の基準周波数とし、前記検索対象音響信号の時間周波数スペクトログラムから抽出した前記所定の基準特徴部の周波数を前記時間間隔ごとの前記検索対象音響信号の基準周波数とする基準周波数検出手段と、対数軸上で予め定められた間隔の複数の周波数を、前記参照音響信号の基準周波数を基準として抽出し、抽出した各周波数のパワースペクトル値に基づいて前記参照音響信号の前記時間間隔ごとの特徴量を抽出し、抽出した特徴量に基づいて前記参照音響信号の信号全体の時間長を一区間とする参照特徴量を算出し、対数軸上で予め定められた間隔の複数の周波数を、前記検索対象音響信号の基準周波数を基準として抽出し、抽出した各周波数のパワースペクトル値に基づいて前記検索対象音響信号の前記時間間隔ごとの特徴量を抽出する特徴抽出手段と、前記特徴抽出手段が抽出した前記検索対象音響信号の前記特徴量に基づいて前記区間ごとの区間特徴量を算出し、算出した区間特徴量と、前記参照特徴量とに基づいて類似度を算出し、算出した類似度に基づいて、前記参照音響信号の音に類似する前記検索対象音響信号の区間を検索し、検索により検出した前記参照音響信号の音に類似する前記検索対象音響信号の区間を出力する類似度計算手段と、を備えたことを特徴とする音響信号検索装置である。
【手続補正６】
【補正対象書類名】明細書
【補正対象項目名】００１７
【補正方法】変更
【補正の内容】
【００１７】
本発明は、入力される音響信号の時間周波数スペクトログラムに基づいて、当該音響信号の特徴量を抽出する音響信号特徴抽出装置のコンピュータに、前記時間周波数スペクトログラムの時間間隔ごとに、前記時間周波数スペクトログラムの所定の基準特徴部を抽出するステップと、抽出した前記所定の基準特徴部の周波数を前記時間間隔ごとの基準周波数とするステップと、対数軸上で予め定められた間隔の複数の周波数を、当該基準周波数を基準として抽出し、抽出した各周波数のパワースペクトル値に基づいて前記時間間隔ごとの音響信号の特徴量を抽出するステップと、を実行させるための音響信号特徴抽出プログラムである。
【手続補正７】
【補正対象書類名】明細書
【補正対象項目名】００１８
【補正方法】変更
【補正の内容】
【００１８】
本発明は、参照音響信号に基づいて、当該参照音響信号に類似する音を含む区間を、入力される検索対象音響信号から検索する音響信号検索装置のコンピュータに、参照音響信号及び検索対象音響信号の時間周波数スペクトログラムを入力するステップと、前記参照音響信号及び前記検索対象音響信号それぞれの時間周波数スペクトログラムから、前記時間周波数スペクトログラムの時間間隔ごとの所定の基準特徴部を抽出するステップと、前記参照音響信号の時間周波数スペクトログラムから抽出した前記所定の基準特徴部の周波数を前記時間間隔ごとの前記参照音響信号の基準周波数とし、前記検索対象音響信号の時間周波数スペクトログラムから抽出した前記所定の基準特徴部の周波数を前記時間間隔ごとの前記検索対象音響信号の基準周波数とするステップと、対数軸上で予め定められた間隔の複数の周波数を、前記参照音響信号の基準周波数を基準として抽出し、抽出した各周波数のパワースペクトル値に基づいて前記参照音響信号の前記時間間隔ごとの特徴量を抽出し、抽出した特徴量に基づいて前記参照音響信号の信号全体の時間長を一区間とする参照特徴量を算出するステップと、対数軸上で予め定められた間隔の複数の周波数を、前記検索対象音響信号の基準周波数を基準として抽出し、抽出した各周波数のパワースペクトル値に基づいて前記検索対象音響信号の前記時間間隔ごとの特徴量を抽出するステップと、抽出した前記検索対象音響信号の前記特徴量に基づいて前記区間ごとの区間特徴量を算出するステップと、前記類似度計算手段が、算出した区間特徴量と、前記参照特徴量とに基づいて類似度を算出するステップと、算出した類似度に基づいて、前記参照音響信号の音に類似する前記検索対象音響信号の区間を検索し、検索により検出した前記参照音響信号の音に類似する前記検索対象音響信号の区間を出力するステップと、を実行させるための音響信号検索プログラムである。